(57)【特許請求の範囲】
【請求項１】
蓄電池と、この蓄電池に充電を行なう充電回路と、消灯または点灯、あるいは点滅される発光部とを有する電子機器と、
前記電子機器が装着されたときに該電子機器と電気的に接続される接続端子と、外部機器との接続を介在するコネクタと、前記電子機器への電源供給を行なうコネクタと、消灯または点灯、あるいは点滅される状態表示用発光部とを有するドッキングステーションとを備える電子機器システムにおいて、
前記電子機器のドッキングステーションへの装着に連動して該電子機器の電源をオフ状態にし、前記充電回路を作動させて蓄電池への充電を行ない、
かつ前記発光部と状態表示用発光部の点灯、消灯、点滅の組み合わせにより前記電子機器の電源オン状態、前記外部機器との通信状態、前記電子機器をドッキングステーションから取り外すことができるリムーブ可能状態、前記蓄電池への充電状態を表示することを特徴とする電子機器システム。
【請求項２】
前記電子機器の電源オン時に、前記状態表示用発光部を点灯させ、前記発光部を消灯することを特徴とする請求項１記載の電子機器システム。
【請求項３】
前記電子機器と外部機器との通信時に、前記状態表示用発光部と前記発光部を点滅させることを特徴とする請求項１または２記載の電子機器システム。
【請求項４】
前記電子機器が、前記ドッキングステーションから外すことができるリムーブ可能状態にあるときに、前記状態表示用発光部と前記発光部を点滅よりも点灯及び消灯の間隔が長くされた間欠点灯させることを特徴とする請求項１ないし３いずれか記載の電子機器システム。
【請求項５】
前記蓄電池への充電時に、前記状態表示用発光部を消灯し、前記発光部を点灯させることを特徴とする請求項１ないし４いずれか記載の電子機器システム。
【請求項６】
前記状態表示用発光部は発光色の異なる複数の表示ランプからなることを特徴とする請求項１〜５いずれか記載の電子機器システム。
【請求項７】
前記電子機器の充電回路を省略してドッキングステーションに充電回路を設けることを特徴とする請求項１〜６いずれか記載の電子機器システム。
【請求項８】
前記発光部と状態表示用発光部を点滅、または点滅よりも点灯及び消灯の間隔が長くされた間欠点灯させる際に、同期させることを特徴とする請求項１ないし７いずれか記載の電子機器システム。
【請求項９】
前記電子機器はデジタルカメラであり、前記発光部として、該デジタルカメラのセルフタイマ用発光部を用いることを特徴とする請求項１ないし８いずれか記載の電子機器システム。
【発明の詳細な説明】
【０００１】
【発明の属する技術分野】
本発明は、電子機器と、この電子機器の外部機器への接続を介在するドッキングステーションとからなる電子機器システムの改良に関するものである。
【０００２】
【従来の技術】
デジタルカメラや、ハンドヘルド型コンピュータ等の携帯型電子機器では、デスクトップ型コンピュータ等の外部機器への接続に、電子機器が装着される台状のドッキングステーションが用いられるものがある。このドッキングステーションには、電子機器と電気的に接続するためのコネクタと、外部機器との接続に用いられるコネクタとが設けられており、電子機器と外部機器との接続を容易にすることができる。また、電子機器本体のコネクタを省略することで、電子機器の小型化を図ることもできる。
【０００３】
また、ドッキングステーションにＡＣ電源アダプタを接続してドッキングステーションを介して電子機器に電源供給を行なうとともに、電子機器内のバッテリに充電を行なうものもある。このドッキングステーションを介した充電では、電子機器、あるいはドッキングステーション側で充電を実行させる充電開始操作を行なう必要があった。
【０００４】
従来の電子機器、例えばデジタルカメラと、これに用いられるドッキングステーションとでは、デジタルカメラの状態をデジタルカメラのファインダＬＥＤの点灯や点滅、または撮影画像表示用ＬＣＤへの表示、設定用ＬＣＤへの表示等を用いてユーザに知らせていた。この状態表示としては、電源オン状態、デスクトップコンピュータとのデータ通信状態、電源オフ及びドッキングステーションからの取り外しが可能であることを示すリムーブ可能状態等である。
【０００５】
【発明が解決しようとする課題】
ファインダＬＥＤや撮影画像表示用ＬＣＤ、設定用ＬＣＤは、デジタルカメラの背面側に設けられている。そのため、パーソナルコンピュータに動画を入力するＰＣカメラとしてデジタルカメラを機能させた場合には、デジタルカメラの背面側が見えにくくなるという問題があった。
【０００６】
また、デジタルカメラの操作に不慣れなユーザは、ドッキングステーションにデジタルカメラを装着した後で充電開始操作を行なうのを忘れてしまい、デジタルカメラの使用時に充電が完了していなかったことに気づくこともあった。
【０００７】
本発明は、上記問題点を解決するためのもので、ドッキングステーション接続時の電子機器の状態表示の視認性を向上させるとともに、充電操作ミスの発生しない電子機器システムを提供することを目的とする。
【０００８】
【課題を解決するための手段】
上記問題点を解決するために、本発明の電子機器システムは、ドッキングステーションに状態表示用発光部を設け、この状態表示用発光部を点灯または点滅、消灯させることで、電子機器の各種状態を表示させるようにしたものである。
【０００９】
状態表示用発光部によって表示する電子機器の各種状態としては、例えば、電源オン状態，外部機器との通信状態，ドッキングステーションから電子機器が取り外せることを示すリムーブ可能状態等がある。また、状態表示用発光部を発光色の異なる複数の表示ランプから構成し、表示可能な状態の種類を増やすこともできる。
【００１０】
更に、電子機器への外部電源の接続に連動して、該電子機器の電源をオフ状態にし、充電回路を作動させて蓄電池への充電を行なうようにしたものである。外部電源の接続による充電開始は、ドッキングステーションを介して外部電源が接続された場合にも実施する。
【００１１】
また、電子機器がドッキングステーションに装着されて蓄電池に充電がなされている際には、状態表示用発光部を消灯し、電子機器の発光部を点灯または点滅させてもよい。同様に、状態表示用発光部を点灯または点滅させて充電中であることを表示してもよい。
【００１２】
更に、電子機器としてデジタルカメラを用いる場合、このデジタルカメラがドッキングステーションに装着されている際に、デジタルカメラのセルフタイマ用発光部を点灯または点滅、消灯させて電子機器の電源オン状態、外部機器との通信状態、ドッキングステーションから電子機器が取り外せることを示すリムーブ可能状態等の状態表示を行なうようにしたものである。セルフタイマ用発光部は、状態表示用発光部に同期させてもよい。
【００１３】
【発明の実施の形態】
図１及び図２は、本発明を実施した電子機器であるデジタルカメラ２と、このデジタルカメラ２のドッキングステーション３との構成を示す外観斜視図である。デジタルカメラ２の前面には、撮影レンズ４が組み込まれたレンズ鏡筒５、ファインダ６を構成する対物側ファインダ窓７、被写体に向けてストロボ光を照射するストロボ発光部８、シャッタレリーズ操作に用いられるシャッタボタン９、タイマ撮影時に点滅して撮影タイミングを知らせるセルフタイマ用発光部１０等が設けられている。レンズ鏡筒５は、デジタルカメラ２が電源オフ状態にある際に、デジタルカメラ２の前面に設けられた鏡筒収納部１２内に収納され、電源オンとともにデジタルカメラ２の前面から突出する。
【００１４】
セルフタイマ用発光部１０の奥には、赤色のタイマ用ＬＥＤ１４（図３参照）が組み込まれている。このタイマ用ＬＥＤ１４は、セルフタイマを使用した撮影時に、タイマの残り時間に合わせて点滅発光する。
【００１５】
また、タイマ用ＬＥＤ１４は、デジタルカメラ２がドッキングステーション３に装着されている状態では、デジタルカメラ２の各種状態の表示に用いられる。例えば、パーソナルコンピュータ等の外部機器とデジタルカメラ２との間で画像データの送受信を行なう際には、図４に示すように、データの送受信に合わせて点滅発光する。更に、デジタルカメラ２のバッテリを充電する際には、図５に示すように、タイマ用ＬＥＤ１４は連続点灯する。また、デジタルカメラ２の電源をオフしてもよいとき、外部機器との通信を終了してもよいとき、ドッキングステーション３からデジタルカメラ２を取り外してもよいときを表すリムーブ可能状態にある際には、図８に示すように、点滅よりも長い間隔で間欠発光を行なう。
【００１６】
デジタルカメラ２の一方の側面には、メモリカード１６がセットされるメモリカードスロット１７が設けられている。このメモリカードスロット１７の奥には、メモリカード１６へのデータの読み書きを行なうメモリカードリーダが内蔵されている。メモリカードスロット１７は、塵芥の侵入等を防止するために、開閉式の保護カバー１８によって保護されている。
【００１７】
デジタルカメラ２の背面には、ファインダ６を構成する接眼側ファインダ窓２０、操作部２１、ビューファインダとして機能する画像表示用ＬＣＤ２２等が設けられている。接眼側ファインダ２０の側方には、点灯，点滅してデジタルカメラ２の状態を知らせるファインダ発光部２３が設けられている。操作部２１内には、複数の操作ボタン２４〜２７と、各種設定等の情報を表示する設定用ＬＣＤ２８とが設けられている。
【００１８】
デジタルカメラ２は、スチル撮影を行なう撮影モードと、撮影画像を再生する再生モードと、パーソナルコンピュータ等の外部機器とのデータの送受信を行なう通信モードと、パーソナルコンピュータに接続して動画入力用のＰＣカメラとして機能するＰＣカメラモードの複数の動作モードを備えており、これらの動作モードの切り換えは操作部２１で行われる。
【００１９】
ファインダ発光部２３の奥には、緑色及び赤色の二つのファインダ用ＬＥＤ３０，３１と、これらのファインダ用ＬＥＤ３０，３１から照射された光をファインダ発光部２３から放射させるライトガイドとが設けられている。赤色と緑色のＬＥＤ３０，３１が同時に発光された際には、ライトガイドによって２色の光が合成され、ファインダ発光部２３からオレンジ色の光が放射される。
【００２０】
図６に示すように、上記ファインダ発光部２３は、デジタルカメラ２の電源オン時に緑色のファインダ用ＬＥＤ３０を点灯する。図７（Ａ）に示すように、撮影時の手ブレや、画像データの圧縮及び記録時には、緑色のファインダ用ＬＥＤ３０を点滅発光する。また、同図（Ｂ）に示すように、Ｓ２処理中には赤色と緑色のＬＥＤ３０，３１を同時に点灯させてオレンジ色の光を放射する。同図（Ｃ）に示すように、ストロボ充電時には、赤色と緑色のＬＥＤ３０，３１を同時に点滅させて、オレンジ色の点滅発光を行なう。図４に示すように、パーソナルコンピュータとのデータ通信時には、緑色のＬＥＤ３０を点灯し、赤色のＬＥＤ３１を点滅させることで、緑色とオレンジ色の光を交互に放射する。図７（Ｄ）に示すように、赤色のみの点滅発光は、エラー発生時の警告の際に用いられる。
【００２１】
デジタルカメラ２の他方の側面には、モニタやビデオデッキにＮＴＳＣ等のコンポジット信号を出力するビデオ出力コネクタ３３、ＡＣ電源アダプタが接続されてＤＣ電源が供給されるＡＣ電源コネクタ３４、パーソナルコンピュータ等に接続されるＵｎｉｖｅｒｓａｌ  Ｓｅｒｉａｌ  Ｂｕｓ（ＵＳＢ）コネクタ３５が設けられている。デジタルカメラ２の底面には、凹形状の接続コネクタ３６が設けられている。ＵＳＢコネクタ３５を用いたパーソナルコンピュータとの接続は、メモリカード１６に記録された画像データを送受信する際と、デジタルカメラ２を動画入力用のＰＣカメラとして使用する場合に用いられる。
【００２２】
デジタルカメラ２には、バッテリ３８がセットされるバッテリ室が設けられており、デジタルカメラ２の底面には、バッテリ室にアクセスするための開口部３９が設けられている。この開口部３９は、蓋部材４０によって開閉される。バッテリ室には、充電可能なバッテリ３８がセットされる。
【００２３】
ドッキングステーション３は、デジタルカメラ２に接続してＡＣ電源やパーソナルコンピュータ等の外部機器との接続を介在し、一般にクレイドルと呼ばれることもある。ドッキングステーション３は、略台形状をされており、上面にデジタルカメラ２が装着される凹形状の載置部４２が設けられている。この載置部４２内には、デジタルカメラ２の底面の接続コネクタ３６に嵌合して電気的に接続する接続端子４３が設けられている。
【００２４】
ドッキングステーション３の前面には、ドッキングステーション３に接続されたデジタルカメラ２の電源のオン／オフを操作する電源ボタン４５と、状態表示用発光部４６とが設けられている。この状態表示用発光部４６の奥には、例えば緑色の状態表示用ＬＥＤ４７（図３参照）が組み込まれている。この状態表示用ＬＥＤ４７は、接続コネクタ３６及び接続端子４３を介して、デジタルカメラ２により発光制御される。
【００２５】
状態表示用ＬＥＤ４７は、図６に示すように、ドッキングステーション３にデジタルカメラ２が装着された状態でデジタルカメラ２の電源がオンされると、点灯して電源オン状態であることを表示する。また、ＵＳＢケーブルを使用してパーソナルコンピュータとデータの送受信を行なっている際には、図４に示すように、データの送受信に合わせて点滅する。更に、ドッキングステーション３からデジタルカメラ２を取り外せる状態、デジタルカメラ２の電源をオフできる状態、ＵＳＢ接続を解除してよい状態等のリムーブ可能状態にある際には、図８に示すよに、点滅よりも間隔の長い間欠点灯によって、それを表示する。なお、バッテリ３８への充電中には、デジタルカメラ２の電源が自動的にオフされるので、図５に示すように、状態表示用ＬＥＤ４７は消灯する。
【００２６】
ドッキングステーション３の背面には、デジタルカメラ２に設けられているものと同様のビデオ出力コネクタ４９、ＡＣ電源コネクタ５０、ＵＳＢコネクタ５１が設けられている。これらのコネクタ４９〜５１は、ドッキングステーション３内部で接続端子４３に接続されている。なお、デジタルカメラ２が単体である際には、コネクタ３３〜３５が使用され、デジタルカメラ２がドッキングステーション３に接続された際には、デジタルカメラ２のコネクタ３３〜３５が無効化されて、ドッキングステーション３の各コネクタ４９〜５１のみが使用可能となる。
【００２７】
図３は、デジタルカメラ２とドッキングステーション３との電気的構成を示すブロック図である。詳しくは図示しないが、レンズ鏡筒５には、焦点調整を行なうフォーカス用モータと、ズーミングを行なうズーム用モータとが組み込まれている。これらのモータは、デジタルカメラ２全体を制御するＣＰＵ５３に接続されたモータドライバ５４によって駆動制御される。また、レンズ鏡筒５内には、絞り兼用のシャッタユニットが組み込まれており、このシャッタユニットもＣＰＵ５３によって制御される。
【００２８】
レンズ鏡筒５の背後には、撮影レンズ４を透過した被写体光が撮像されるＣＣＤ５６が配置されている。このＣＣＤ５６には、ＣＰＵ５３によって制御されるタイミングジェネレータ５７からタイミング信号（クロック信号）が入力される。ＣＣＤ５６から出力された信号は、相関二重サンプリング回路（ＣＤＳ）５８に入力され、ＣＣＤ５６の各セルの蓄積電荷量に正確に対応したＲ、Ｇ、Ｂの画像データとして出力される。ＣＤＳ５８から出力された画像データは、増幅器（ＡＭＰ）５９で増幅され、Ａ／Ｄ変換器６０でデジタルデータに変換される。
【００２９】
画像入力コントローラ６２は、データバス６３を介してＣＰＵ５３に接続されており、ＣＰＵ５３の命令によってＣＣＤ５６，ＣＤＳ５８，ＡＭＰ５９，Ａ／Ｄ変換器６０を制御する。また、Ａ／Ｄ変換器６０から出力された画像データをビデオメモリ６４、あるいはバッファメモリ６５に書き込む。
【００３０】
ビデオメモリ６４は、画像表示用ＬＣＤ２２をビューファインダとして使用する際に、解像度の低い画像データが一時的に記録される。ビデオメモリ６４に記録された画像データは、データバス６３を介してＬＣＤドライバ６７に送られ、画像表示用ＬＣＤ２２に表示される。バッファメモリ６５は、撮像された高解像度の画像データが一時的に記録される。このバッファメモリ６５から読み出された画像データは、メディアコントローラ６８によって駆動制御されるメモリカードリーダによりメモリカード１６に記録される。
【００３１】
画像信号処理回路７０は、撮像された高解像度の画像データがバッファメモリ６５内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。
【００３２】
また、デジタルカメラ２をパーソナルコンピュータに接続して、ＰＣカメラとして使用する場合には、撮像された画像データがビデオメモリ６４に保存され、この画像データが圧縮処理回路７２によって圧縮された後に、バッファメモリ６５に記録される。バッファメモリ６５は、ＰＣカメラモードにある際に、その記録領域が三分割して使用され、各領域の圧縮画像データを順次パーソナルコンピュータに送る。これにより、パーソナルコンピュータにコマ落ちなく動画像を表示することができる。
【００３３】
データバス６３には、ＣＰＵ５３に制御されてパーソナルコンピュータ等の外部機器とのデータ通信を行なう外部機器通信回路７４が接続されている。この外部機器通信回路７４には、デジタルカメラ２のビデオ出力コネクタ３３、ＡＣ電源コネクタ３４、ＵＳＢコネクタ３５が接続されている。ＡＣ電源コネクタ３４にＡＣ電源アダプタが接続されると、外部機器通信回路７４はＡＣ電源アダプタが接続されたことを表す外部電源検出信号をＣＰＵ５３に入力する。ＣＰＵ５３は、外部電源検出信号に応じてデジタルカメラ２の電源をオフし、充電回路７５を作動させてバッテリ３８への充電を行なう。
【００３４】
また、外部機器通信回路７４には、デジタルカメラ２底面の接続コネクタ３６が接続されている。この接続コネクタ３６と接続端子４３との接続によって、ドッキングステーション３のビデオ出力コネクタ４９、ＡＣ電源コネクタ５０、ＵＳＢコネクタ５１が外部機器通信回路７４に接続されることになる。そして、ドッキングステーション３のＡＣ電源コネクタ５０にＡＣ電源アダプタが接続されている場合にも、外部機器通信回路７４から外部電源検出信号がＣＰＵ５３に入力される。ＣＰＵ５３は、デジタルカメラ２の電源をオフして充電回路７５を作動させ、バッテリ３８への充電を行なう。
【００３５】
次に、上記実施形態の作用について、図９のフローチャートを参照しながら説明する。図１及び図２に示すように、デジタルカメラ２の下部をドッキングステーション３の載置部４２内に挿入すると、接続コネクタ３６と接続端子４３とが嵌合し、デジタルカメラ２とドッキングステーション３とが電気的に接続される。
【００３６】
デジタルカメラ２のドッキングステーション３への装着時に、ドッキングステーション３のＡＣ電源コネクタ５０にＡＣ電源アダプタが接続されていた場合には、図３に示す外部機器通信回路７４が外部電源検出信号をＣＰＵ５３に入力する。ＣＰＵ５３は、デジタルカメラ２の電源状態に関わらず、電源をオフ状態にし、充電回路７５を動作させてバッテリ３８への充電を開始する。これにより、デジタルカメラ２をドッキングステーション３に接続した後に、充電開始操作を行なわなくても自動的に充電が開始されるので、操作の煩わしさが軽減される。また、充電されないなどのミスも発生しないため、ドッキングステーション３から取り外してすぐに撮影操作を行なうことができる。
【００３７】
図５に示すように、バッテリ３８への充電中には、デジタルカメラ２の電源がオフ状態にあるため、ファインダ用ＬＥＤ（緑）３０，状態表示用ＬＥＤ４７ともに消灯する。この充電中にタイマ用ＬＥＤ１４は点灯し、タイマ用発光部１０が発光して充電中であることをユーザに知らせる。このように、デジタルカメラ２の前面に設けられたタイマ用発光部１０を充電表示に流用したので、ドッキングステーション３に装着中のデジタルカメラ２でも、充電中か否かの確認が容易に行なえる。
【００３８】
なお、バッテリ３８への自動充電は、デジタルカメラ２をドッキングステーション３に装着しない状態で、ＡＣ電源コネクタ３４にＡＣ電源アダプタが接続された場合にも実施される。デジタルカメラ２及びドッキングステーション３ともにＡＣ電源アダプタが接続されていない場合には、撮影モード，再生モード，通信モード，ＰＣカメラモード等、ユーザが選択した任意のモードでデジタルカメラ２及びドッキングステーション３を使用することができる。
【００３９】
また、デジタルカメラ２において、自動充電が開始された場合でも、デジタルカメラ２またはドッキングステーション３の電源ボタン４５を操作して、デジタルカメラ２の電源をオン状態にし、任意のモードで使用することができる。この場合には、バッテリ３８への充電は中止される。
【００４０】
ドッキングステーション３に装着した状態でデジタルカメラ２の電源をオンすると、図６に示すように、ファインダ用ＬＥＤ（緑）３０と状態表示用ＬＥＤ４７とが点灯して、ファインダ発光部２３と状態表示用発光部４６とが緑色に発光し、ユーザにデジタルカメラ２が電源オン状態にあることを知らせる。
【００４１】
ドッキングステーション３のＵＳＢコネクタ５１と、パーソナルコンピュータのＵＳＢコネクタとの間をＵＳＢケーブルで接続し、デジタルカメラ２の操作部２１を操作して通信モードにセットすると、デジタルカメラ２とパーソナルコンピュータとの間で画像データの送受信を行なうことができる。図４に示すように、ＵＳＢを用いたデータ通信中には、タイマ用ＬＥＤ１４と状態表示用ＬＥＤ４７とがデータの送受信に合わせて点滅する。これにより、デジタルカメラ２の前面側のタイマ用発光部１０と状態表示用発光部４６とが点滅発光するので、データ通信中であることをユーザに確実に伝えることができる。
【００４２】
また、データ通信中には、ファインダ用ＬＥＤ（緑）３０が点灯し、ファインダ用ＬＥＤ（赤）３１が点滅する。これにより、ファインダ発光部２３では、緑色と赤色の光が交互に点灯するので、デジタルカメラ２単体でパーソナルコンピュータとデータ通信を行なった場合でも、データ通信中であることをユーザに確実に伝えることができる。
【００４３】
ＵＳＢを使用したデータ通信が終了すると、図８に示すように、タイマ用ＬＥＤ１４と状態表示用ＬＥＤ４７とが点滅よりも長い間隔で間欠点灯し、タイマ用発光部１０と状態表示用発光部４６とが同様に間欠発光する。この間欠発光は、デジタルカメラ２とパーソナルコンピュータとのＵＳＢ接続を解除してよい状態、ドッキングステーション３からデジタルカメラ２を取り外せる状態、デジタルカメラ２の電源をオフできる状態であることを示しており、画像データの破損等の心配をすることなく、ＵＳＢ接続解除や電源オフ、ドッキングステーション３からの取り外し等を行なうことができる。
【００４４】
なお、上記実施形態では、ドッキングステーションの状態表示用発光部の発光色を単色としたが、ファインダ発光部のように緑色と赤色の２色のＬＥＤを使用して、３色の発光を行なうようにしてもよい。また、バッテリへの充電中に、状態表示用発光部を消灯するようにしたが、点灯や点滅，間欠発光等を用いて充電中であることを表示してもよい。
【００４５】
更に、バッテリの充電はデジタルカメラ単体でも行なえるようにしたが、デジタルカメラから充電回路を省略し、ドッキングステーションに充電回路を組み込むことで、ドッキングステーションに装着されている際にのみ充電できるようにしてもよい。これにより、デジタルカメラを小型化することができる。また、ドッキングステーションが必要なユーザには、ドッキングステーション以外の充電器を提供することができ、電子機器システムを構成する際の選択肢を広げることができる。
【００４６】
【発明の効果】
以上説明したように、本発明の電子機器システムによれば、ドッキングステーションに状態表示用発光部を設けたので、電子機器の状態を確認しやすくすることができる。また、電子機器への外部電源の接続に連動して、電子機器をオフし、蓄電池への充電を行なうようにしたので、充電開始のための煩雑な操作を省略することができ、充電し忘れ等のミスの発生も防止することができる。
【００４７】
更に、電子機器での状態表示には、従来から設けられていた発光部、例えばデジタルカメラのセルフタイマ用発光部等を流用するようにしたので、部品数の増加によるコストアップや、製品の大型化は発生しない。
【図面の簡単な説明】
【図１】デジタルカメラ及びドッキングステーションの構成を示す前面側外観斜視図である。
【図２】デジタルカメラ及びドッキングステーションの構成を示す背面側外観斜視図である。
【図３】デジタルカメラ及びドッキングステーションの電気的構成を示すブロック図である。
【図４】ＵＳＢを用いたデータ通信時の各発光部の発光状態を示すタイミングチャートである。
【図５】充電時の各発光部の発光状態を示すタイミングチャートである。
【図６】デジタルカメラの電源オン時の各発光部の発光状態を示すタイミングチャートである。
【図７】デジタルカメラのファインダ発光部の各種発光状態を示すタイミングチャートである。
【図８】リムーブ可能状態時の各発光部の発光状態を示すタイミングチャートである。
【図９】自動充電の動作順序を示すフローチャートである。
【符号の説明】
２  デジタルカメラ
３  ドッキングステーション
１０  セルフタイマ用発光部
１４  タイマ用ＬＥＤ
１６  メモリカード
２１  操作部
２３  ファインダ発光部
３０  ファインダ用ＬＥＤ（緑）
３１  ファインダ用ＬＥＤ（赤）
３３  デジタルカメラのビデオ出力コネクタ
３４  デジタルカメラのＡＣ電源コネクタ
３５  デジタルカメラのＵＳＢコネクタ
３６  接続コネクタ
３８  バッテリ
４３  接続端子
４５  電源ボタン
４６  状態表示用発光部
４７  状態表示用ＬＥＤ
４９  ドッキングステーションのビデオ出力コネクタ
５０  ドッキングステーションのＡＣ電源コネクタ
５１  ドッキングステーションのＵＳＢコネクタ
５３  ＣＰＵ
７４  外部機器通信回路
７５  充電回路
【図１】
0004425483.tif 000002
【図２】
0004425483.tif 000003
【図３】
0004425483.tif 000004
【図４】
0004425483.tif 000005
【図５】
0004425483.tif 000006
【図６】
0004425483.tif 000007
【図７】
0004425483.tif 000008
【図８】
0004425483.tif 000009
【図９】
0004425483.tif 000010